(57)【要約】【課題】ウエルドナットを溶接した被溶接部材の取外しが容易にでき、溶接効率向上できる抵抗溶接用電極装置を提供すること。【解決手段】電極に、上下動可能に収納されたガイドピン１０が、エアーが供給されることにより上昇し、上端部が電極より突出するようにした抵抗溶接用電極装置において、エアーの供給が停止されると、ガイドピン１０の上端部が電極に引き込まれるように付勢する付勢手段１３を設けた。また付勢手段１３として弾性体を用いた。【選択図】図１
2019013979.tif 000002
【特許請求の範囲】
【請求項１】
電極に、上下動可能に収納されたガイドピンが、エアーが供給されることにより上昇し、上端部が電極より突出するようにした抵抗溶接用電極装置において、エアーの供給が停止されると、電極から突出しているガイドピンの上端部が電極に引き込まれるように付勢する付勢手段を設けたことを特徴とする抵抗溶接用電極装置
【請求項２】
前記付勢手段として弾性体を用いたことを特徴とする請求項１に記載の抵抗溶接用電極装置。
【発明の詳細な説明】
【技術分野】
【０００１】  本発明は、ウエルドナットを被溶接部材に溶接する抵抗溶接用電極装置に関するものである。
【背景技術】
【０００２】  従来、ウエルドナットを被溶接部材に溶接する抵抗溶接用電極装置としては、図４に示すように、電極本体５１と電極チップ５２からなる電極の内部に、ガイドピン５３を上下動可能に収納し、溶接時にエアー供給路５４から供給されるエアーにてガイドピンを上昇して、電極チップ５２からガイドピン５３の上端部を突出し、被溶接部材とウエルドナットをガイドピン５３の突出した上端部に嵌め込み、上部電極を下降してウエルドナットを溶接するとともに、エアーの供給を停止してガイドピンを下降し、ウエルドナットを溶接した被溶接部材を電極から外していた。（例えば特許文献１参照。）
【先行技術文献】
【特許文献】
【０００３】
【特許文献１】特開２０００−０５２０５３号公報
【発明の概要】
【発明が解決しようとする課題】
【０００４】  前記のものでは、エアーの供給を停止しても、エアー供給路５４の残圧によりガイドピン５３の上端部が電極チップ５２内に収納されるまで時間が掛ため、ガイドピン５３の上端部が電極チップ５２内に完全に収納される前に、被溶接部材を電極から外しているので被溶接部材が外し難く、特に被溶接部材がコ字形に折り曲げられている場合には、ガイドピン５３の上端部が電極チップ５２内に引き込まれるまで待たなければならないことがあり溶接効率が悪くなるという問題があった。【０００５】  本発明は、前記の問題を解決し、ウエルドナットを溶接した被溶接部材の取外しが容易にでき、溶接効率を向上できる抵抗溶接用電極装置を提供することを目的になされたものである。
【課題を解決するための手段】
【０００６】  上記課題を解決するためになされた本発明の電気抵抗用電極は、電極に、上下動可能に収納されたガイドピンが、エアーが供給されることにより上昇し、上端部が電極より突出するようにした抵抗溶接用電極装置において、エアーの供給が停止されると、電極から突出しているガイドピンの上端部が電極に引き込まれるように付勢する付勢手段を設けたことを特徴とするものである。【０００７】  前記付勢手段として弾性体を用いたものであることが好ましく、これを請求項２に係る発明とする。
【発明の効果】
【０００８】  請求項１の発明では、エアーの供給が停止されると、電極から突出しているガイドピンの上端部が電極に引き込まれるように付勢する付勢手段を設けたので、ウエルドナットを溶接した被溶接部材の取外しが容易にでき、溶接効率を向上できる。【０００９】  請求項２の発明では、前記付勢手段として弾性体を用いたので構成が簡単にできる。
【図面の簡単な説明】
【００１０】
【図１】本発明の好ましい実施の形態を示す断面図である。
【図２】図１の溶接前の状態を示す断面図である。
【図３】図２の溶接後の状態を示す断面図である。
【図４】従来例の断面図である。
【発明を実施するための形態】
【００１１】  以下、本発明の好ましい実施の形態について図１乃至図３に基づいて説明すると、１は電極本体であり、電極本体１の上端部には上面開口の収納凹部２が形成されると共に、基端に設けられ、エアー管３が接続されるエアー導入口４と前記収納凹部２底面の開口部５とを連通するエアー導入路６が形成されている。
【００１２】  ７は中央部に表面から裏面への貫通孔８が形成されるとともに、底面の貫通孔８の周囲に嵌合突起９が形成された電極チップであり、電極チップ７は、嵌合突起９を電極本体１の収納凹部２の上面開口部より圧入し。電極本体１に取付け固定している。尚、電極本体１と電極チップ７にて電極が構成されている。
【００１３】  １０は下端に収納凹部２の上面開口より僅かに小さなフランジ部１１が形成され、上端に先細部１２が形成されているガイドピンであり、ガイドピン１０は電極本体１の収納凹部２に収納し、上部を電極チップ７の貫通孔８に挿通し、上下動可能に電極に収納されている。
【００１４】  １３はガイドピン１０のフランジ部１１と電極チップ７の底面との間に介装され、ガイドピン１０の上端部を電極チップ７に引き込むように付勢する付勢手段であるコイルばね等の弾性体であり、１４はガイドピンが引き込まれたとき電極本体１の収納凹部２底面に衝突したときの衝撃力を緩和する緩衝材であり、また１５は略コ字形に折り曲げられた被溶接部材であり、１６はウエルドナットである。
【００１５】  次に、上記の実施の形態の電極による溶接方法を説明すると、図示されていないコンプレッサーなどの圧縮空気供給装置からエアー管３を介して供給されたエアーが、電極本体１のエアー導入口４からエアー導入路６を介して収納凹部２の底面開口部５から収納部２に噴出し、ガイドピン１０を押し上げて、図１に示すようにガイドピン１０の上端部が電極チップ１より突出した状態となりこの後、被溶接部材１５の上板の位置決め孔１７がガイドピン１０の上端部に嵌め込まれるとともに、ウエルドナット１６のねじ穴をガイドピン１０の上端部に嵌め込み、図２に示す電極に被溶接部材１５とウエルドナット１６をセットした状態となる。
【００１６】  さらにこの後、図示されていない上部電極が下降してウエルドナット１６を被溶接部材１５に溶接すると共に電極本体１へのエアーの供給を停止する。このようにエアーの供給が停止されると、ガイドピン１０はコイルばね１３により、速やかに下降し、突出していた上端部は、図３に示すように電極チップ７に引き込まれるのでガイドピン１０の上端部が、ウエルドナット１６を溶接された被溶接部材１５を外すのに邪魔にならない。
【００１７】  以上のように、本発明によれば、エアーの供給が停止されると、電極から突出しているガイドピン１０の上端部が電極に引き込まれるように付勢する付勢手段１３を設けたので、溶接後ガイドピン１５は付勢手段１３により、速やかに電極より突出していた上端部を電極内に引き込むので、ガイドピン１０の上端部がウエルドナット１６を溶接された被溶接部材１５を外すのに邪魔にならず、ウエルドナットを溶接した被溶接部材の取外しが容易にでき、かつ溶接効率も向上できる。
【符号の説明】
【００１８】  １  電極本体
２  収納凹部
３  エアー管
４  エアー導入口
５  開口部
６  エアー導入路
７  電極チップ
８  貫通孔
９  嵌合突起
１０  ガイドピン
１１  フランジ部
１２  先細部
１３  付勢手段
【図１】
2019013979.tif 000003
【図２】
2019013979.tif 000004
【図３】
2019013979.tif 000005
【図４】
2019013979.tif 000006